(57)【要約】      （修正有）【課題】車両に搭載された光学レンズを、クリアな画像または光学的信号がいつでも捕捉されうるようにレンズからどんなタイプの汚れでも除去するために、洗浄液を噴霧することによって自動洗浄するシステムおよび方法を提供する。【解決手段】空気の容積を加圧するための可変容積圧縮室１６を含む空気ポンプ５が設けられ、洗浄液導管１２が液体ノズル９と空気ポンプ５とに連通しているため、空気ポンプ５は加圧された洗浄液２１のフローによって作動されることができ、また、加圧された洗浄液２１の同じフローが、光学表面３を洗浄するためと、また、空気ポンプ５を作動させて空気の噴流を発生させて光学レンズ３に液滴があればそれを吹き落とすために使用される。【選択図】図３
2015224032.tif 000002
【特許請求の範囲】
【請求項１】
車載型光学表面の洗浄システムであって、
洗浄液ノズルと、前記洗浄液ノズルに連通して、前記洗浄液ノズルを介した液体のフローを制御する液体フロー制御装置と、
空気ノズルと、前記空気ノズルに連通して、前記空気ノズルを介した空気のフローを制御する空気フロー制御装置と、
入口開口と出口開口を持ち、前記出口開口が前記空気フロー制御装置と連通している空気ポンプと、
前記液体フロー制御装置に接続された洗浄液導管と、
を備え、
前記空気ポンプは、空気容積を加圧するための可変容積圧縮室を含み、前記圧縮室は前記出口開口に連通しており、
前記洗浄液導管は付加的に前記空気ポンプ入口開口とも連通しているため、前記空気ポンプは加圧洗浄液のフローによって作動されうることを特徴とするシステム。
【請求項２】
前記空気ポンプは、筒状体と、その筒状体内に収容された変位可能なプランジャーとを備え、その筒状体と前記プランジャーによって前記圧縮室が画定され、前記空気ポンプは、前記圧縮室内に収容されたばねコイルを付加的に備えているため、そのばねコイルによって前記プランジャーが前記入口開口のほうに圧迫される、請求項１記載のシステム。
【請求項３】
前記液体フロー制御装置と前記空気ポンプに加圧洗浄液を供給するために前記洗浄液導管に連通した液体ポンプをさらに備えている、請求項１または２に記載のシステム。
【請求項４】
前記空気ポンプと前記液体ポンプは、前記液体ポンプによってポンプ送水された加圧洗浄液のフローによって前記空気ポンプの前記プランジャーが駆動されることで、前記圧縮室内の容積を縮小して圧縮空気の容積を生成するように適合されている、請求項１〜３のいずれかに記載のシステム。
【請求項５】
前記空気フロー制御装置と、前記液体フロー制御装置と前記液体ポンプとに作動的に関連付けられてそれらの作動を命令する制御装置をさらに備え、前記制御装置は少なくとも１つの洗浄サイクルを実行するように適合されている、請求項１〜４のいずれかに記載のシステム。
【請求項６】
前記制御装置は一つの洗浄サイクルを実行するように適合されており、その洗浄サイクルにおいて先ず所定量の加圧洗浄液が、前記液体フロー制御装置を開放することにより光学表面上に供給され、引き続いて前記空気フロー制御装置が開放されて、加圧空気が光学表面上に施用されることで、光学表面に洗浄液の液滴があればそれを吹き払うようにする、請求項５記載のシステム。
【請求項７】
開口と、その開口に取り付けられた光学表面を有する支持体をさらに備えており、液体ノズルと空気ノズルが前記支持体に取り付けられ、両ノズルはそれぞれ、光学表面に洗浄液を供給するためと、空気フローを投射するために配置されている、請求項１〜６のいずれかに記載のシステム。
【請求項８】
前記空気ポンプ、前記空気制御装置および前記液体制御装置は前記支持体に取り付けられている請求項７記載のシステム。
【請求項９】
前記支持体の一部はハウジングの形状に構成されており、システムはさらに、そのハウジング内部に配置され光学表面に対して作動的に配置された光学センサを備えている請求項７および８記載のシステム。
【請求項１０】
前記空気ポンプには、前記圧縮室に連通する一方向弁が配設され、前記一方向弁は圧縮室の拡張中に前記圧縮室に空気を流入させ、また、室の圧縮中に室への空気の流入を防止するように構成されている、請求項１〜９のいずれかに記載のシステム。
【請求項１１】
前記空気フロー制御装置と前記液体フロー制御装置は電磁弁であり、制御装置は電子的にプログラム可能な装置である、請求項１〜１０のいずれかに記載のシステム。
【請求項１２】
前記液体ポンプと連通する洗浄液槽をさらに備えている請求項３記載のシステム。
【請求項１３】
前記光学表面は光学レンズまたはカバーウィンドウである請求項１〜１２のいずれかに記載のシステム。
【請求項１４】
前記支持体は可動部を含み、前記空気ノズルと前記液体ノズルはその可動部に取り付けられ、前記可動部は作動位置から非作動位置へと移動するように構成され、その結果、非作動位置において前記空気ノズルと前記液体ノズルは前記支持体内部に隠されるようになっている、請求項６記載のシステム。
【請求項１５】
車載型光学レンズの洗浄方法であって、
空気の容積を加圧するための前記可変容積圧縮室を有する前記空気ポンプを配設することと、
加圧洗浄液のフローを発生して、この加圧洗浄液のフローを前記液体フロー制御装置と前記圧縮室に供給して加圧空気の容積を生成することと、
光学レンズ上に、予め定められた洗浄シーケンスで一噴出の加圧洗浄液を供給して加圧空気を供給することと、
を含む洗浄方法。
【発明の詳細な説明】
【技術分野】
【０００１】
本発明は一般に、車両に搭載された光学レンズを、クリアな画像または光学的信号がいつでも捕捉されうるようにレンズからどんな種類の汚れでも除去するために、洗浄液を噴霧することによって自動洗浄する技術に関する。
【０００２】
より具体的には、本発明の目的は、単純な方式かつ削減したコストで洗浄工程を迅速かつ充分に完了できる光学レンズ自動洗浄システムおよび洗浄方法を提供することである。
【０００３】
本発明は特に、車載パーキングカメラレンズまたは任意の種類の光学センサレンズを洗浄することに対して有利である。
【背景技術】
【０００４】
現在、自動車には、例えば、パーキング支援、死角領域の物体検知、車線逸脱、交通信号識別またはバックミラー代替物等を含むがそれらに限定されない、多様な交通状況において運転者を支援する光学センサが装着されている。
【０００５】
一般に、これらの光学センサは車両の外面に取り付けられているため、光学センサのレンズ面が汚れに暴露されて捕捉画像の質を損なう。この暴露は直接の場合と間接の場合があり、間接の暴露はレンズ面がカバーウィンドウの裏に配置されている場合に発生する。したがって、レンズ面に付着した、または、車載型光学センサのカバーウィンドウに付着した異物を除去する必要がある。
【０００６】
車内搭載型カメラのフロントガラスまたはレンズを洗浄するための様々なタイプのカメラ洗浄装置があり、それらには、高圧空気を用いて高圧洗浄水を発生し、車内搭載型カメラのカバーガラスの表面を洗い流して洗浄するために、その高圧洗浄水を車内搭載型カメラのカバーガラスまたはレンズの表面に噴射する高圧空気発生装置が慣用的に備わっている。
【発明の概要】
【発明が解決しようとする課題】
【０００７】
しかし、洗浄水が、レンズまたはカバーガラスを洗浄するために施用されている間、そして、水が完全に蒸発するまで、車両の運転者は捕捉画像を正しく見ることができない。この問題を解決するため、レンズまたはカバーガラス上に残った洗浄水を乾燥させるために、空気噴流を使用する既知の装置がある。しかし、これらの装置は通常、モーター駆動の空気ポンプに基づいており、それらは複雑かつ高価な機器である。
【課題を解決するための手段】
【０００８】
本発明は、添付の独立請求項に規定され、また、洗浄過程を迅速に、かつより少ない個数の構成要素で完了できる単純な洗浄技法を提供することにより、従来技術の上記の欠点を克服する。
【０００９】
本発明の一つの態様は、車両の外面に搭載された光学レンズまたは透明カバーなどの光学表面を洗浄するためのシステムに言及し、そのシステムにおいて光学表面は、画像を捕捉または感知するのに適した任意のタイプの感光装置に光学的に関連付けられうる。好ましくは、感光装置はビデオカメラまたは光学センサである。
【００１０】
本発明のシステムは、光学表面に洗浄液を供給するための洗浄液ノズルと、洗浄液が供給された後でその表面に空気フローを投射し、それにより光学表面に形成された洗浄液の液滴を吹き払う空気ノズルとを備えている。したがって、高品質画像の捕捉を損ないうる光学表面上の洗浄液の液滴が迅速に除去され、したがって洗浄時間が短縮される。
【００１１】
この洗浄システムでは、加圧洗浄液が液体ノズルに供給され、また、加圧空気の噴射を発生するために空気ポンプが設けられている。この空気ポンプは空気ポンプに施用された流体によって及ぼされる水圧力によって加圧空気を発生するように構成されている。付加的に、液体ノズルに供給されるのと同じ加圧洗浄液のフローが空気ポンプにも送り込まれ、空気ポンプが同じ洗浄液によって作動するようになっている。
【００１２】
上述の構成に由来する技術的効果と利点は、加圧洗浄液のフローが二重の機能、すなわち光学表面の洗浄機能と、空気ポンプの作動および空気噴流の発生機能を有していることである。したがって、加圧洗浄液と加圧空気の両方を発生するために１つのみの液体ポンプが必要であるため、少ない個数の構成要素で、すなわち非常にコスト効率の良い方式で、二重の機能が実施される。従来技術と対照的に、空気噴流を発生するため専用にモーター駆動による装置を備える必要がない。
【００１３】
空気ポンプは、可変容積圧縮室を含んでいるため、洗浄液の水圧をかけることにより室の容積が縮小してその中に封じ込めてある空気が加圧される。
【００１４】
空気フロー制御装置と、液体フロー制御装置とに作動的に関連付けられた制御装置によって、洗浄液の供給と空気の吹込みが調整された方式で実行される。制御装置は、異なる洗浄サイクルを実行するように適合されている。本発明による１つの好ましい洗浄サイクルにおいて、液体フロー制御装置を一つの所定周期または複数の所定数周期で開放させることによって、先ず所定量の加圧洗浄液が光学表面に供給され、その後、液体フロー制御装置が閉止されて空気フロー制御装置が開放され、その結果、少なくとも一噴流の加圧空気が光学表面に施用されて、光学表面上に洗浄液の液滴があればそれを吹き払う。
【００１５】
本発明の別の態様は、加圧液体のフローによって動作可能な空気ポンプが設けられ、その空気ポンプがその目的のため空気容積を加圧するための可変容積圧縮室を含んでいる車載型光学レンズの洗浄方法に言及する。加圧洗浄液のフローが、液体フロー制御装置と圧縮室の両方に供給されて圧縮空気容積を生む。本発明の方法において、一噴出の加圧洗浄液および／または加圧空気の噴流が、所定の洗浄シーケンスに従って調整された方式で光学レンズに供給される。好ましくは、本発明による所定の洗浄シーケンスは：先ず光学レンズ上に少なくとも一噴出の洗浄液を供給し、その後、光学レンズ上に加圧空気を投射して光学レンズから洗浄液の液滴を吹き払うことを含む。
【００１６】
本発明の説明において、光学表面は、光学装置の画像の捕捉を支援する、または単に光学装置に画像を捕捉させる任意のタイプの表面を指す。さらに具体的に、光学表面は、光学レンズまたは光学レンズを保護するためもしくは光学センサを保護するために載置されるカバーウィンドウである。
【００１７】
本発明の好ましい実施形態を、以下に、添付の図面を参照して説明する。
【図面の簡単な説明】
【００１８】
【図１】本発明による洗浄システムの一部の好ましい実施形態の図であり、図ａ）は内部要素を見せるために空気ポンプを破線で示した透視図、図ｂ）は別の透視図、図ｃ）は正面図である。
【図２】洗浄システムの非作動状態における模式図である。
【図３】図２の図で、洗浄過程の第１の段階にあり、水フローと空気フローが矢印で示された図である。
【図４】図２の図で、洗浄過程の第２の段階にあり、水フローと空気フローが矢印で示された図である。
【図５】図２の図で、洗浄過程の第３の段階にあり、水フローと空気フローが矢印で示された図である。
【図６】図２の図で、洗浄過程の第４の段階にあり、水フローと空気フローが矢印で示された図である。
【図７】本発明の例示的実施形態による洗浄液および空気作動シーケンスを表すグラフである。時間の単位は秒（ｓ）で表されている。
【図８】図７の洗浄シーケンス中に測定された洗浄液のフロー（Ｑ）と供給された空気を表すグラフである。
【発明を実施するための形態】
【００１９】
図１は、自動車の表面に装着されるのに適した、好ましくはプラスチック材料で作製された支持体（１）を示す。支持体（１）は、開口（２）と光学表面と、この例ではその開口（２）に取り付けられたカメラレンズ（３）と、支持体（１）のハウジング（４）内にあり、カメラレンズ（３）に対して作動的に配置されたビデオカメラ（図示せず）とを有している。付加的に空気ポンプ（５）と、空気制御装置および液体制御装置も支持体（１）に取り付けられている。好ましくは、空気制御装置および液体制御装置はこの例において、それぞれ、第１と第２の電磁弁（６，７）によって実施される。
【００２０】
別法として、カメラレンズ（３）は、裏に配置された光学レンズを保護するために配設されたガラスカバーから構成されてもよい。
【００２１】
図に示すように支持体（１）の外面に液体ノズル（９）と空気ノズル（８）が取り付けられ、両ノズルはそれぞれ洗浄液（１０）と空気の噴流（１１）をカメラレンズ（３）上に供給するために配置されている。
【００２２】
別の実施形態において、支持体（１）は可動部品（図示せず）を含み、空気ノズルと液体ノズルはその可動部品に取り付けられて、可動部品が作動位置から非作動位置へと移動するように構成され、その非作動位置において、空気ノズルと液体ノズルは支持体内部に隠されるようになる。
【００２３】
第１の電磁弁（６）は、空気ノズル（８）を通って空気ポンプによって提供される空気のフローを開閉するために、空気ノズル（８）および空気ポンプ（５）と連通している。同様に、第２の電磁弁（７）は、液体ノズル（９）を通る洗浄液のフローを開閉するために、液体ノズル（９）および洗浄液導管（１２）と連通している。
【００２４】
ビデオカメラまたは任意の他の光学装置と、外部装置（図示せず）との電気的接続用に、電気的コネクタ（１７）も支持体に結合されている。
【００２５】
本発明の空気ポンプ（５）は、この例ではシリンダー（１３）である管状体と、管状体内に収容された変位可能なプランジャー（１４）とを備え、シリンダー（１３）とプランジャー（１４）との間に圧縮室（１６）が画定されるようになっている。圧縮室（１６）内にばねコイル（１５）が収容され、プランジャー（１４）がばねコイル（１５）によって空気ポンプ入口開口（１９）のほうに圧迫されるようになっている。
【００２６】
ばねコイル（１５）は、空気ポンプ（５）が空気噴流を供給した後で圧縮室（１６）の容積を拡張するために配置されている。シリンダー（１３）に取り付けられ、圧縮室（１６）と連通している一方向弁（１８）は、圧縮室（１６）の拡張中には圧縮室（１６）に空気を流入させ、圧縮室（１６）の圧縮中には室への空気流入を防止するように構成されている。好ましくは、この一方向弁（１８）は弾性材料で作製され、円錐形状であり、その狭いほうの端部に開口があって、シリンダー（１３）内部に配置されている。
【００２７】
洗浄液導管（１２）はさらに空気ポンプ入口開口（１９）と連通していて、空気ポンプ（５）が、そこに供給される加圧洗浄液のフローによって作動できるようになっている。より具体的には、図１に示されるように、洗浄液導管（１２）はＴ接合コネクタ（２０）と接続され、導管（１２）の第１の枝管（１２’）はコネクタ（２０）と、空気ポンプの入口開口（１９）とに接続され、導管（１２）の第２の枝管（１２”）はコネクタ（２０）と、第１の電磁弁（６）とに接続されている。こうして、液体ポンプ（２２）によって発生した加圧洗浄液（２１）のフローは空気ポンプ（５）と第２の電磁弁（７）の両方に供給される。
【００２８】
図２から５は、本発明の洗浄システムおよび洗浄方法の作動をより詳細に図示している。図２は、非作動状態にあるシステムを表し、そこで第１と第２の電磁弁（６，７）は閉止されており、液体ポンプ（２２）は洗浄システムに液体を供給していない。
【００２９】
車両の使用者が洗浄システムを作動させると、第１と第２の電磁弁（６，７）と、液体ポンプ（２２）に電子的に連通しているプログラム可能な電子装置によって実施される制御装置（２３）は、洗浄サイクルを実行するように適合またはプログラムされ、洗浄サイクルにおいて先ず液体ポンプ（２２）が作動して、洗浄液（２４）を洗浄液槽（２５）から洗浄液導管（１２）へとポンプ送水して洗浄液（２１）のフローを発生させる。この洗浄サイクルの第１の段階において第２の電磁弁（７）は開放しており、図３に示すように、噴出した洗浄液が液体ノズル（９）を通ってカメラレンズ面（３）に供給される。この段階において第１の電磁弁（６）は閉止したままであるが、洗浄液（２１）のフローは空気ポンプ（５）の入口開口（１９）にも供給される。
【００３０】
洗浄液の噴出（２６）はカメラレンズ（３）の表面を洗浄し、その表面にはいくらかの液滴が残っていることがある。
【００３１】
洗浄サイクルの第２の段階（図４）において、すなわち、所定期間が経過した後で、制御装置（２３）は第２の弁（７）を閉止して、第２の枝管（１２”）を通る加圧洗浄液の循環と、加圧洗浄液の供給が中断される。しかし、この状況において空気ポンプ（５）は洗浄液で満たされ、その圧力はプランジャー（１４）にかけられ、それによりプランジャー（１４）は、ばね（１５）の弾性作用に逆らうように変位して容積を縮小する、すなわち、可変容積圧縮室（１６）を圧縮して、その室内に封じ込められた空気の容積を加圧し、その一方で第１の電磁弁（６）は閉止したままである。一方向弁（１８）はこの段階で、その弁の円錐面にかかる圧力室内の圧力により閉止したままである。
【００３２】
洗浄システム、また特に、空気ポンプ（５）および液体ポンプ（２）は、液体ポンプによってポンプ送水された洗浄液の圧力が、空気ポンプを作動させるコイルばね（１５）の弾性力に打ち勝つような態様に適合されていることが理解されうる。
【００３３】
一定レベルの空気圧力に達すると、制御装置（２３）は第１の弁（６）を開放して、加圧空気が空気ノズル（８）から放出され、また、表面に残っている液体を取り払って乾燥させるに十分な圧力でカメラレンズ（３）の表面に空気の噴流（２７）が投射されるようにする。この工程は、図５に示されている。
【００３４】
所定時間経過後、制御装置（２３）は第１の電磁弁（６）を閉止し（図６）、液体ポンプ（２２）を停止させて、プランジャー（１４）への水圧が解放されるようにする。するとコイルばね（１５）の弾性力が水圧に打ち勝ってプランジャー（１４）を初期位置に戻すように押しやる。それと同時に、圧縮室（１６）が拡張し、空気ポンプの外側からの空気が一方向弁（１８）を介して吸引され、圧縮室（１６）を非圧縮空気で満たす。
【００３５】
洗浄対象の光学レンズの状態によっていくつかの洗浄シーケンスが実行されうる。図７は、レンズ表面上に付着した乾いた泥や虫などの重度の汚れの場合に実行されうる好ましい洗浄シーケンスの一例である。図７の場合において、洗浄サイクルは少なくとも２回の連続した洗浄液放出を含み、各洗浄液放出は０．１から０．５秒内の持続期間、この場合０．３秒で、これら２回の液体放出間に１秒の時間間隔を置いている。１．５秒経過後、少なくとも２回の連続した０．１秒の空気噴流が１秒の時間間隔を置いて供給される。完全洗浄シーケンスの持続時間は４．３秒である。
【００３６】
図７の洗浄サイクルにおいて測定された時間単位ごとの液体と空気の測定量が、図８に示されている。
【００３７】
軽微な汚れ等の他の条件では、液体と空気の必要量がより少ないため、より少ない回数の放出が供給され、その持続時間もより短い。
【００３８】
本発明の別の好ましい実施形態において、制御装置（２３）は、空気ノズル（８）と液体ノズル（９）を作動させて、別々の洗浄シーケンスを実行するようにプログラムされうる。例えば、制御装置（２３）は、１つのみまたはそれ以上の洗浄液の噴出を供給する、または、１つのみまたはそれ以上の空気噴流を供給するように、空気ノズル（８）と液体ノズル（９）を互いに独立して動作させるようにプログラムされ、それは、対応する電磁弁を単に開閉するだけで実行されうる。
【００３９】
本発明の他の好ましい実施形態は、添付の従属請求項およびそれらの複数の組み合わせに記述される。
【００４０】
本発明は、以下の特徴を有する。
＜１＞
車載型光学表面の洗浄システムであって、
洗浄液ノズルと、洗浄液ノズルに連通して、洗浄液ノズルを介した液体のフローを制御する液体フロー制御装置と、
空気ノズルと、空気ノズルに連通して、空気ノズルを介した空気のフローを制御する空気フロー制御装置と、
入口開口と出口開口を持ち、出口開口が空気フロー制御装置と連通している空気ポンプと、
液体フロー制御装置に接続された洗浄液導管と、
を備え、
空気ポンプは、空気容積を加圧するための可変容積圧縮室を含み、前記圧縮室は出口開口に連通しており、
洗浄液導管は付加的に空気ポンプ入口開口とも連通しているため、空気ポンプは加圧洗浄液のフローによって作動されうることを特徴とするシステム。
＜２＞
前記空気ポンプは、筒状体と、その筒状体内に収容された変位可能なプランジャーとを備え、その筒状体とプランジャーによって圧縮室が画定され、空気ポンプは、圧縮室内に収容されたばねコイルを付加的に備えているため、そのばねコイルによってプランジャーが入口開口のほうに圧迫される、上記＜１＞に記載のシステム。
＜３＞
液体フロー制御装置と空気ポンプに加圧洗浄液を供給するために洗浄液導管に連通した液体ポンプをさらに備えている、上記＜１＞または＜２＞に記載のシステム。
＜４＞
空気ポンプと液体ポンプは、液体ポンプによってポンプ送水された加圧洗浄液のフローによって空気ポンプのプランジャーが駆動されることで、圧縮室内の容積を縮小して圧縮空気の容積を生成するように適合されている、上記＜１＞〜＜３＞のいずれかに記載のシステム。
＜５＞
空気フロー制御装置と、液体フロー制御装置と液体ポンプとに作動的に関連付けられてそれらの作動を命令する制御装置をさらに備え、前記制御装置は少なくとも１つの洗浄サイクルを実行するように適合されている、上記＜１＞〜＜４＞のいずれかに記載のシステム。
＜６＞
前記制御装置は一つの洗浄サイクルを実行するように適合されており、その洗浄サイクルにおいて先ず所定量の加圧洗浄液が、液体フロー制御装置を開放することにより光学表面上に供給され、引き続いて空気フロー制御装置が開放されて、加圧空気が光学表面上に施用されることで、光学表面に洗浄液の液滴があればそれを吹き払うようにする、上記＜５＞に記載のシステム。
＜７＞
開口と、その開口に取り付けられた光学表面を有する支持体をさらに備えており、液体ノズルと空気ノズルが前記支持体に取り付けられ、両ノズルはそれぞれ、光学表面に洗浄液を供給するためと、空気フローを投射するために配置されている、上記＜１＞〜＜６＞のいずれかに記載のシステム。
＜８＞
前記空気ポンプ、前記空気制御装置および前記液体制御装置は前記支持体に取り付けられている上記＜７＞に記載のシステム。
＜９＞
支持体の一部はハウジングの形状に構成されており、システムはさらに、そのハウジング内部に配置され光学表面に対して作動的に配置された光学センサを備えている上記＜７＞および＜８＞に記載のシステム。
＜１０＞
空気ポンプには、圧縮室に連通する一方向弁が配設され、前記一方向弁は圧縮室の拡張中に圧縮室に空気を流入させ、また、室の圧縮中に室への空気の流入を防止するように構成されている、上記＜１＞〜＜９＞のいずれかに記載のシステム。
＜１１＞
空気フロー制御装置と液体フロー制御装置は電磁弁であり、制御装置は電子的にプログラム可能な装置である、上記＜１＞〜＜１０＞のいずれかに記載のシステム。
＜１２＞
液体ポンプと連通する洗浄液槽をさらに備えている上記＜３＞に記載のシステム。
＜１３＞
光学表面は光学レンズまたはカバーウィンドウである上記＜１＞〜＜１２＞のいずれかに記載のシステム。
＜１４＞
支持体は可動部を含み、空気ノズルと液体ノズルはその可動部に取り付けられ、可動部は作動位置から非作動位置へと移動するように構成され、その結果、非作動位置において空気ノズルと液体ノズルは支持体内部に隠されるようになっている、上記＜６＞に記載のシステム。
＜１５＞
車載型光学レンズの洗浄方法であって、
空気の容積を加圧するための可変容積圧縮室を有する空気ポンプを配設することと、
加圧洗浄液のフローを発生して、この加圧洗浄液のフローを液体フロー制御装置と圧縮室に供給して加圧空気の容積を生成することと、
光学レンズ上に、予め定められた洗浄シーケンスで一噴出の加圧洗浄液を供給して加圧空気を供給することと、
を含む洗浄方法。
【符号の説明】
【００４１】
１  支持体
２  開口
３  カメラレンズ
４  ハウジング
５  空気ポンプ
６  第１の電磁弁
７  第２の電磁弁
８  空気ノズル
９  液体ノズル
１０  洗浄液
１１  空気噴流
１２  洗浄液導管
１２’  第１の枝管
１２”  第２の枝管
１３  シリンダー
１４  プランジャー
１５  コイルばね
１６  可変容積圧縮室
１７  電気的コネクタ
１８  一方向弁
１９  空気ポンプ入口開口
２０  Ｔ接合コネクタ
２１  洗浄液
２２  液体ポンプ
２３  制御装置
２７  空気の噴流
【図１】
2015224032.tif 000003
【図２】
2015224032.tif 000004
【図３】
2015224032.tif 000005
【図４】
2015224032.tif 000006
【図５】
2015224032.tif 000007
【図６】
2015224032.tif 000008
【図７】
2015224032.tif 000009
【図８】
2015224032.tif 000010
【外国語明細書】
2015224032.tif 000011
2015224032.tif 000012
2015224032.tif 000013
2015224032.tif 000014
2015224032.tif 000015
2015224032.tif 000016
2015224032.tif 000017
2015224032.tif 000018
2015224032.tif 000019
2015224032.tif 000020
2015224032.tif 000021
2015224032.tif 000022
2015224032.tif 000023
2015224032.tif 000024
【図１】
2015224032.tif 000025
【図２】
2015224032.tif 000026
【図３】
2015224032.tif 000027
【図４】
2015224032.tif 000028
【図５】
2015224032.tif 000029
【図６】
2015224032.tif 000030
【図７】
2015224032.tif 000031
【図８】
2015224032.tif 000032